(57)【要約】【課題】      例えば幽玄状の光が得られる散光体及び散光装置を得ること。【解決手段】  本発明の散光体１は、少なくとも前面２ａと下面２ｂを透明とした函体２内に、セロファン３をまとめて充填したものであり、本発明散光装置１０は内部に発光体１１を設けるとともに、前記散光体１を挿入設置しうる構造をもつ発光器１２を用い、前記散光体１の透明箇所を前記発光体１１に面して発光器１２に挿入設置したもので、本発明の散光体によれば、これに光を当てたとき充填したセロファンによって光が複雑に透過乃至反射して全体として幽玄状の光を発散させることが出来、しかも価格的に安価である。又、本発明の散光装置によれば、前記発光器により散光体に多様な光を照射することが出来、これにより散光体内部に充填したセロファンを介し、全体として幽玄状の光を発散させることが出来る。【選択図】図３
2010099900.tif 000002
【特許請求の範囲】
【請求項１】
少なくとも前面と下面を透明とした函体内に、セロファンをまとめて充填したことを特徴とする散光体。
【請求項２】
内部に発光体を設けるとともに、前記散光体を挿入設置しうる構造をもつ発光器を用い、前記散光体の透明箇所を前記発光体に面して発光器に挿入設置したことを特徴とする散光装置。
【請求項３】
前記セロファンを着色セロファンとしたことを特徴とする請求項１記載の散光体。
【請求項４】
前記セロファンを無作為にまとめて充填したことを特徴とする請求項１又は請求項３記載の散光体。
【請求項５】
前記セロファンを所定の手順で折って充填したことを特徴とする請求項１又は請求項３記載の散光体。
【請求項６】
前記セロファンを複数枚充填したことを特徴とする請求項１又は請求項３又は請求項４又は請求項５記載の散光体。
【請求項７】
前記セロファンを複数枚重ねて充填したことを特徴とする請求項１又は請求項３又は請求項４又は請求項５又は請求項６記載の散光体。
【請求項８】
前記発光器がＬＥＤ発光器であることを特徴とする請求項２記載の散光装置。
【請求項９】
前記発光器が多色であることを特徴とする請求項２又は請求項８記載の散光装置。
【請求項１０】
前記発光器が多重点滅式であることを特徴とする請求項２又は請求項８又は請求項９記載の散光装置。
【発明の詳細な説明】
【技術分野】
【０００１】
この発明は、例えば仏像等の背後に設置して幽玄状に光を散らすための散光体及び散光装置に関するものである。
【背景技術】
【０００２】
本発明散光装置に類似するものの例として、例えば特許文献１に示すごとき、高輝度面発光体があり、これは透光性の蛍光板（１）と、該蛍光板（１）の側端面に沿って配設した冷陰極管（２）とを、ハウジング（３）に収納するとともに、蛍光板の前面をハウジング（３）の前面開口に露出させ、ハウジング内面（３ｃ）又は蛍光板の後面（１ｂ）を光反射面としたもので、高輝度でムラのない面発光を行なおうとする。なお、括弧内の符号は特許文献１において使用された符号を示すものである。
【０００３】
また、特許文献２に示すものは立体的照明反射表示板で、所定の厚みの透明なアクリル板からなる表示板本体（２ａ）と、表示板本体（２ａ）の表示面（２１）に文字など所定の表示要素が彫り込まれた刻字部（３）と、発光ダイオード（４１）を光源とし、表示板本体（２ａ）内に向けて光を照射する照射部（４ａ）とを有し、刻字部（３）に分散性光物質（５）を充填したもので、表示板本体（２ａ）の表示面（２１）に彫り込まれた表示要素をより鮮明かつ立体的に表示させることができる。なお、括弧内の符号は特許文献２において使用された符号を示すものである。
【０００４】
なお、前記分散性光物質乃至光拡散性物質としては、例えば、シリカ、アルミナ、チタ二ア、ジルコニア、酸化錫、酸化インジウム、酸化カドミウムなどからなる金属酸化物系微粒子、金属粒子その他の無機系微粒子のほか、ポリマー等からなる有機系微粒子などが用いられる。
【特許文献１】特開平９−１２０７０６号公報
【特許文献２】実用新案登録第３０９６７０８号公報
【発明の開示】
【発明が解決しようとする課題】
【０００５】
しかしながら、特許文献１に示された高輝度面発光体は、ムラのない均一な光を発光させようとするもので、当然光は一様で高輝度であり、幽玄状の光は望むべくもない。
【０００６】
また、特許文献２に示された立体的照明反射表示板は、表示板本体（２ａ）の表示面（２１）に彫り込まれた表示要素をより鮮明かつ立体的に表示させる作用効果はあっても、前記分散性光物質乃至光拡散性物質による光の分散乃至は拡散は、表示板本体（２ａ）の表示面（２１）に彫り込まれた表示要素、即ち刻字された字体等に限られ、これもまた幽玄状の光は得られない、
【課題を解決するための手段】
【０００７】
本発明は、上記課題を解決するために案出されたもので、少なくとも前面と下面を透明とした函体内に、セロファンをまとめて充填したことを特徴とする散光体に関する発明と、内部に発光体を設けるとともに、前記散光体を挿入設置しうる構造をもつ発光器を用い、前記散光体の透明箇所を前記発光体に面して発光器に挿入設置したことを特徴とする散光装置に関する発明とからなる。
【発明の効果】
【０００８】
本発明の散光体は、少なくとも前面と下面を透明とした函体内に、セロファンをまとめて充填したことを特徴とするので、これに光を当てたときは充填したセロファンによって光が複雑に透過乃至反射して、全体として幽玄状の光を発散させることが出来、しかも価格的に安価である。
【０００９】
また、本発明の散光装置は、内部に発光体を設けるとともに、前記散光体を挿入設置しうる構造をもつ発光器を用い、前記散光体の透明箇所を前記発光体に面して発光器に挿入設置したことを特徴とするので、前記発光器により散光体に多様な光を照射することが出来、これにより散光体内部に充填したセロファンを介し、全体として幽玄状の光を発散させることが出来る。
【発明を実施するための最良の形態】
【００１０】
本発明の散光体１は、少なくとも前面２ａと下面２ｂを透明とした函体２内に、セロファン３をまとめて充填したものであり、本発明の散光装置１０は、内部に発光体１１を設けるとともに、前記散光体１を挿入設置しうる構造をもつ発光器１２を用い、前記散光体１の透明箇所を前記発光体１１に面して発光器１２に挿入設置したものである。
【実施例１】
【００１１】
以下、斜視図の図面で示す実施例により本発明を詳細に説明すると、図１は本発明の散光体１を、図２は本発明の発光器１２を、また図３は前記散光体１を発光器１２に挿入設置して構成した散光装置１０をそれぞれ示すものである。
【００１２】
散光体１は、図１、図３の例では、例えば全体を透明なアクリル板で函体２を構成し、この中に透明のセロファン３を無作為にまとめて封入したものである。
【００１３】
この散光体１は、前記発光体１２に後述のように挿入設置するものであるから、発光器１２に形成された開口１２ａに合わせた大きさにする必要があるが、更に図示の例のように全面でもよいが、発生する光を有効に散光する前面２ａ及び散光装置１０内で発光体１１に面する下面２ｂのみを透明とし、函体２の後面２ｃ、側面２ｄを不透明又は反射部とすることでもよい。
【００１４】
又、散光体１は、アクリル板に限らずガラス板にて構成することも可能である。
【００１５】
散光体１函体２中に充填するセロファン３は、図示の例では透明のものを用い、これを無作為にまとめて函体２中に挿入したものであるが、セロファン３は着色セロファンでもよく、これら透明又は着色セロファンを無作為にまとめるか、所定の手順で折って重点してもよく、更にセロファン３は一枚に限らず、複数枚を個々に充填したり、複数枚重ねて充填することも考えられる。このようにすれば、一層多様な光の散光が得られ、幽玄性を増すことが出来る。
【００１６】
散光装置１０は内部に発光体１１を設けるとともに、前記散光体１を挿入設置しうる構造を持つ発光器１２を用い、前記散光体１の透明箇所、例えばその下面２ｂを前記発光体１１に面して発光器１２に挿入設置したものであり、発光体１１には、その上面に散光体１を挿入するための開口１２ａとそれに連続する穴１２ｂが形成され、且つ底部に発光体１１が設置され、前記穴１２ｂにおける発光体１１の少し上には、その内周に棚部１２ｃを設けて散光体１を受けるようにしている。
【００１７】
前記発光体１１は各種の色、例えば赤、緑、黄、白等を発色するＬＥＤランプ１１ａ、１１ｂ、１１ｃ、−−を適宜配列し、発光方向を、発光器１２に挿入設置されたときの散光体１の下面２ｂに向けて直角に配置されている。
【００１８】
これらのＬＥＤランプ１１ａ、１１ｂ、１１ｃ、−−は、これらを交互にまたは一斉に点灯するコントローラ(図示せず)を介してリード線１３によってスイッチ１４に接続され、該スイッチ１４から例えば家庭用電気コンセント(図示せず)に配線１５されている。
【００１９】
次に、上記実施例に係る散光体及び散光装置の作用について説明すると、この実施例において散光体１は、アクリル製の函体２の６面全てを透明としており、この中に透明のセロファン３を無作為にまとめて充填したものを用い、これを図３に示すように、発光体１１の開口１２ａからそれに連続する穴１２ｂに挿入し、棚部１２ｃに載せるように設置する。
【００２０】
この状態でスイッチ１４をオンすれば、ＬＥＤランプ１１ａ、１１ｂ、１１ｃ、−−は前記コントローラにより交互又は一斉に点灯し、その光は散光体１にその下面２ｂより進入してセロファン３を照射し、透過乃至反射する。この場合、セロファン３におけるＬＥＤランプ１１ａ、１１ｂ、１１ｃ、−−からの光に面する斜面等では透過と同時に反射が行なわれ、比較的強い光が散光体１の前面２ａ等から放出されるとともに、前記の透過した光は次の斜面等から放出され、光の進行方向にある他の斜面等で反射して弱い光として散光体１の前面等２ａから放出される。
【００２１】
図示の例では、セロファン３には種々の方向に大小さまざまな凹凸があるから、ＬＥＤランプ１１ａ、１１ｂ、１１ｃ、−−からの光による反射と透過が無数に生じ、これらの光が散光体１の前面、上面、側面等から強弱を伴って発散され、情趣に富む将に幽玄状の雰囲気を醸し出す。従って、本発明散光装置を仏像や位牌の後ろに設置するときは、簡単で安価な装置でありながら、そのご威光、ご遺徳を偲ぶにふさわしい雰囲気を醸し出すことができる。
【００２２】
また、前記セロファン３を着色セロファンとした場合には、一転して華やかな雰囲気を醸し出す散光が得られ、イルミネーション装置として機能することが期待される。
【００２３】
更に、前記セロファン３を所定の手順で折りたたんで函体２内に充填したものでは、散光が例えば段階状に行なわれ、セロファン３を無作為にまとめて充填したものとは異なる抽象画的な雰囲気を発する。
【００２４】
更にまた、前記セロファン３を複数枚個々に充填し、或いは複数枚重ねて充填したものでは、各々複雑な散光または色彩が混合した散光が得られ、それらの組み合わせによっては高貴な雰囲気を呈することが期待される。
【００２５】
なお、上記実施例では散光体１と発光体１１とは別体に構成されているが、これを一体に構成してもよい。この場合は、例えば函体２の上面を開閉可能として、ここからセロファン３を充填又は交換すればよい。
【図面の簡単な説明】
【００２６】
【図１】は本発明の散光体１を示す斜視図である。
【図２】は本発明の発光器１２を示す斜視図である。
【図３】は散光体１を発光器１２に挿入設置して構成した散光装置１０を示す斜視図である。
【符号の説明】
【００２７】
１  散光体    ２函体    ３  セロファン    １１  発光体
１１ａ、１１ｂ、１１ｃ、−−  ＬＥＤランプ    １２  発光器
１３  リード線    １４  スイッチ    １５  配線。
【図１】
2010099900.tif 000003
【図２】
2010099900.tif 000004
【図３】
2010099900.tif 000005